(57)【要約】【課題】テレビコンセントにワンタッチ分配器を確実に固着でき、同軸ケーブルが引張られても傾いたり外れたりすることのないワンタッチ分配器を提供する。【解決手段】ワンタッチ分配器３０は、分配回路をシールドケース内に設け、その外側を樹脂ケース３１により覆ったもので、背面に入力プラグ、下面に同軸ケーブル接続端子３３ａ、３３ｂを備えている。樹脂ケース３１の背面側の左右両側にツバ部３４ａ、３４ｂを突出して設け、その先端側を入力プラグ側に折り曲げて係止用ツメ３５ａ、３５ｂを形成する。上記係止用ツメ３５ａ、３５ｂ間の内寸をコンセントプレート１２の幅寸法と略同寸法とし、ワンタッチ分配器３０をテレビコンセント１１に装着する際、係止用ツメ３５ａ、３５ｂ間でコンセントプレート１２の両側を挟んで確実に固着できるようにする。【選択図】      図２
2010109449.tif 000002
【特許請求の範囲】
【請求項１】
分配回路を収納してなる導電性シールドケースと、前記シールドケースに設けられ、壁面にコンセントプレートと共に配設されたテレビコンセントに接続するための入力プラグと、前記シールドケースに設けられた複数の同軸ケーブル接続端子と、前記シールドケースをカバーする樹脂ケースとから構成されたテレビコンセント用ワンタッチ分配器において、
前記樹脂ケースの両側から所定長さ側方に突出して設けられたツバ部と、前記ツバ部の先端側を前記入力プラグ側に折曲げて形成された１対の係止用ツメとを具備し、
前記１対の係止用ツメ間の間隔を前記コンセントプレートの幅寸法と略同寸法に設定し、該１対の係止用ツメにより前記コンセントプレートの両側を挟持できるように構成したことを特徴とするテレビコンセント用ワンタッチ分配器。
【発明の詳細な説明】
【技術分野】
【０００１】
本発明は、集合住宅や戸建て住宅の壁面に設置されたテレビコンセントに装着してテレビやチューナに同軸ケーブルで信号を分配するテレビコンセント用ワンタッチ分配器に関する。
【背景技術】
【０００２】
従来、集合住宅や戸建て住宅では、壁面にテレビコンセントが設置され、このテレビコンセントからテレビやチューナに同軸ケーブルで配線できるようになっている。この場合、テレビコンセントにワンタッチタイプの分配器を装着し、この分配器から同軸ケーブルでテレビやチューナに配線している（例えば、特許文献１参照。）。
【０００３】
図３は本発明の対象とするテレビコンセント１１の構成例を示し、（ａ）は正面図、（ｂ）は側面図である。  
上記テレビコンセント１１は、住宅の壁面に配設され、アンテナ（図示せず）の受信信号やＣＡＴＶシステムにおけるテレビ信号が同軸ケーブルにより入力される。また、上記テレビコンセント１１を配設した壁面部分には、方形状のコンセントプレート１２が着脱可能に設けられる。上記テレビコンセント１１及びコンセントプレート１２の仕様は、規格で定められている。
【０００４】
図４は従来のテレビコンセント用ワンタッチ分配器２０の構成を示し、（ａ）は正面図、（ｂ）は側面図、（ｃ）は下面図である。なお、図４は２分配のワンタッチ分配器２０の例を示している。ワンタッチ分配器２０は、図示しないが導電性シールドケース内に分配回路を収納し、その外側を合成樹脂により形成した樹脂ケース２１によりカバーしている。上記ワンタッチ分配器２０は、背面に入力プラグ２２、下面に２つの同軸ケーブル接続端子２３ａ、２３ｂを備え、入力プラグ２２に入力された信号を同軸ケーブル接続端子２３ａ、２３ｂに分配する構成となっている。また、ワンタッチ分配器２０は、入力プラグ２２が上記テレビコンセント１１にワンタッチで装着できるようになっている。
【０００５】
上記のように構成されたワンタッチ分配器２０は、図５（ａ）に示すように入力プラグ２２がテレビコンセント１１に装着され、同軸ケーブル接続端子２３ａ、２３ｂに同軸ケーブル２４ａ、２４ｂが装着される。この同軸ケーブル２４ａ、２４ｂは、図示しないがテレビやチューナに接続される。
【特許文献１】意匠登録第１０４５５７８号公報
【発明の開示】
【発明が解決しようとする課題】
【０００６】
上記のようにテレビコンセント１１にワンタッチ分配器２０を装着し、同軸ケーブル２４ａ、２４ｂによりテレビやチューナにテレビ信号を分配しているが、テレビコンセント１１の位置とテレビやチューナの位置関係により、配線された同軸ケーブル２４ａ、２４ｂが引張られたりすると、図５（ｂ）、（ｃ）に示すようにテレビコンセント１１に接続されたワンタッチ分配器２０が傾いたりして室内の美観を損ねるという問題がある。また、ワンタッチ分配器２０が同軸ケーブル２４ａ、２４ｂにより引張られてテレビコンセント１１より外れたりすると、テレビが映らなくなるという問題もある。
【０００７】
本発明は上記の課題を解決するためになされたもので、テレビコンセントにワンタッチ分配器を確実に固定でき、ワンタッチ分配器に接続された同軸ケーブルが引張られても、分配器が傾いたりテレビコンセントから外れたりすることのないテレビコンセント用分配器を提供することを目的とする。
【課題を解決するための手段】
【０００８】
本発明は、分配回路を収納してなる導電性シールドケースと、前記シールドケースに設けられ、壁面にコンセントプレートと共に配設されたテレビコンセントに接続するための入力プラグと、前記シールドケースに設けられた複数の同軸ケーブル接続端子と、前記シールドケースをカバーする樹脂ケースとから構成されたテレビコンセント用ワンタッチ分配器において、
前記樹脂ケースの両側から所定長さ側方に突出して設けられたツバ部と、前記ツバ部の先端側を前記入力プラグ側に折曲げて形成された１対の係止用ツメとを具備し、前記１対の係止用ツメ間の間隔を前記コンセントプレートの幅寸法と略同寸法に設定し、該１対の係止用ツメにより前記コンセントプレートの両側を挟持できるように構成したことを特徴とする。
【発明の効果】
【０００９】
本発明によれば、ワンタッチ分配器をテレビコンセント及びコンセントプレートに強固に取り付けることができる。このためワンタッチ分配器に接続された同軸ケーブルが引張られてもワンタッチ分配器が傾くことはなく、室内の美観を保つことができると共にテレビコンセントからワンタッチ分配器が外れてテレビが映らなくなるという問題も解決することができる。
【発明を実施するための最良の形態】
【００１０】
以下、図面を参照して本発明の一実施形態を説明する。  
図１は本発明の一実施形態に係るテレビコンセント用ワンタッチ分配器３０の構成を示し、（ａ）は正面図、（ｂ）は側面図、（ｃ）は下面図である。なお、図１は２分配のワンタッチ分配器３０の例を示している。ワンタッチ分配器３０は、図示しないが導電性シールドケース内に分配回路を収納し、その外側を合成樹脂により形成した樹脂ケース３１によりカバーしている。上記ワンタッチ分配器３０は、背面に入力プラグ３２、下面に複数例えば２つの同軸ケーブル接続端子３３ａ、３３ｂを備え、入力プラグ３２に入力された信号を同軸ケーブル接続端子３３ａ、３３ｂに分配する構成となっている。また、ワンタッチ分配器３０は、図３に示したテレビコンセント１１に入力プラグ３２がワンタッチで装着できるようになっている。
【００１１】
また、ワンタッチ分配器３０は、樹脂ケース３１の背面側すなわち入力プラグ３２が設けられている側の左右両側にツバ部３４ａ、３４ｂを所定長さ突出して設け、このツバ部３４ａ、３４ｂの先端側を入力プラグ３２側に折り曲げて１対の係止用ツメ３５ａ、３５ｂを形成する。上記係止用ツメ３５ａ、３５ｂ間の内寸を上記図３に示したコンセントプレート１２の幅寸法と略同寸法とし、図２（ａ）〜（ｃ）に示すようにワンタッチ分配器３０をテレビコンセント１１に装着する際、係止用ツメ３５ａ、３５ｂ間でコンセントプレート１２の両側を挟み、ワンタッチ分配器３０をコンセントプレート１２に確実に固着できるようにしている。
【００１２】
図２はワンタッチ分配器３０をテレビコンセント１１及びコンセントプレート１２に装着した状態を示し、（ａ）は正面図、（ｂ）は側面図、（ｃ）は下面図である。
【００１３】
上記の構成において、ワンタッチ分配器３０をテレビコンセント１１に装着する際、入力プラグ３２をテレビコンセント１１に装着すると共に係止用ツメ３５ａ、３５ｂ間でコンセントプレート１２の両側を挟持し、ワンタッチ分配器３０をコンセントプレート１２に固着する。また、ワンタッチ分配器３０の同軸ケーブル接続端子３３ａ、３３ｂには、図示しないが同軸ケーブルを装着し、テレビ受像機やチューナ等に接続する。
【００１４】
上記実施形態で示したようにワンタッチ分配器３０の樹脂ケース３１の左右両側に係止用ツメ３５ａ、３５ｂを設け、コンセントプレート１２の両側を挟んで固着することにより、ワンタッチ分配器３０をテレビコンセント１１及びコンセントプレート１２に強固に取り付けることができる。このためワンタッチ分配器３０に接続された同軸ケーブルが引張られてもワンタッチ分配器３０が傾くことはなく、室内の美観を保つことができる。また、テレビコンセント１１からワンタッチ分配器３０が外れてテレビが映らなくなるという問題も解決することができる。
【００１５】
なお、上記実施形態では、２分配のワンタッチ分配器３０に実施した場合について示したが、３分配以上に分配する場合であっても同様にして実施し得るものである。
【００１６】
また、上記実施形態では、分配器に実施した場合について示したが、分波器においても同様にして実施し得るものである。
【００１７】
また、本発明は、上記実施形態そのままに限定されるものではなく、実施段階ではその要旨を逸脱しない範囲で構成要素を変形して具体化できるものである。
【図面の簡単な説明】
【００１８】
【図１】本発明の一実施形態に係るテレビコンセント用ワンタッチ分配器の構成を示し、（ａ）は正面図、（ｂ）は側面図、（ｃ）は下面図である。
【図２】同実施形態におけるワンタッチ分配器をテレビコンセント及びコンセントプレートに装着した状態を示し、（ａ）は正面図、（ｂ）は側面図、（ｃ）は下面図である。
【図３】本発明の対象とするテレビコンセントの構成例を示し、（ａ）は正面図、（ｂ）は側面図である。
【図４】従来のテレビコンセント用ワンタッチ分配器の構成を示し、（ａ）は正面図、（ｂ）は側面図、（ｃ）は下面図である。
【図５】従来のテレビコンセント用ワンタッチ分配器をテレビコンセントに装着した状態を示す図である。
【符号の説明】
【００１９】
１１…テレビコンセント、１２…コンセントプレート、３０…テレビコンセント用ワンタッチ分配器、３１…樹脂ケース、３２…入力プラグ、３３ａ、３３ｂ…同軸ケーブル接続端子、３４ａ、３４ｂ…ツバ部、３５ａ、３５ｂ…係止用ツメ。
【図１】
2010109449.tif 000003
【図２】
2010109449.tif 000004
【図３】
2010109449.tif 000005
【図４】
2010109449.tif 000006
【図５】
2010109449.tif 000007